(57)【要約】【課題】外針基にフラッシュバックの血液が残り難い留置針を提供する。【解決手段】留置針１は、内針が挿通可能な外針２と、外針２の基端に設けられた筒状の外針基３と、内針が挿通可能であり、且つ内針が抜かれた後に血液が外針基３から漏れることを防止する止血弁４と、外針基３内の空気を通過させ、外針基３内の血液の通過を抑制又は阻止する通気路５とを備える。外針基３内に基端位置から先端位置へと前進可能な内筒部材６が配置され、止血弁４は内筒部材６内に設けられ、外針基３の内周面には、小径部７と、小径部７の先端側に位置し小径部７よりも大径の大径部８とが設けられ、内筒部材６の外周面には、外針基３の基端側から供給される液体が流れ込み、且つ基端位置では小径部７によって大径部８との接続が阻止され、先端位置では大径部８と接続される流路９，１２が設けられている。【選択図】図４
2019084245.tif 000002
【特許請求の範囲】
【請求項１】
内針が挿通可能な外針と、
前記外針の基端に設けられた筒状の外針基と、
前記内針が挿通可能であり、且つ前記内針が抜かれた後に血液が前記外針基から漏れることを防止する止血弁と、
前記外針基内の空気を通過させ、前記外針基内の血液の通過を抑制又は阻止する通気路とを備える留置針であって、
前記外針基内に基端位置から先端位置へと前進可能な内筒部材が配置され、
前記止血弁は前記内筒部材に設けられ、
前記外針基の内周面には、小径部と、前記小径部の先端側に位置し前記小径部よりも大径の大径部とが設けられ、
前記内筒部材の外周面には、前記外針基の基端側から供給される液体が流れ込み、且つ前記基端位置では前記小径部によって前記大径部との接続が阻止され、前記先端位置では前記大径部と接続される流路が設けられていることを特徴とする留置針。
【請求項２】
請求項１に記載の留置針であって、
前記流路は、前記内筒部材の基端から先端に向かって切り欠かれた切欠部であることを特徴とする留置針。
【請求項３】
請求項２に記載の留置針であって、
前記切欠部は、前記内筒部材の内周面と外周面とを連通させるように切り欠かれていることを特徴とする留置針。
【請求項４】
請求項１に記載の留置針であって、
前記流路は、前記内筒部材の内周面と外周面とを連通させるように貫通した貫通孔であることを特徴とする留置針。
【請求項５】
請求項１から請求項４の何れか１項に記載の留置針であって、
前記通気路は、前記内筒部材の外周面に設けられた先端から基端に向かって延びる外周側溝部であることを特徴とする留置針。
【請求項６】
請求項１から請求項４の何れか１項に記載の留置針であって、
前記止血弁は、中央部に切込部を備えた円柱状の弾性部材からなり、
前記通気路は、前記止血弁の外周面に設けられた先端から基端まで延びる内周側溝部であることを特徴とする留置針。
【請求項７】
請求項１から請求項４の何れか１項に記載の留置針であって、
前記止血弁は、中央部に切込部を備えた円柱状の弾性部材からなり、
前記通気路は、前記止血弁の前記切込部の径方向外側に設けられ前記止血弁の先端面と基端面とを連通させる細孔であることを特徴とする留置針。
【請求項８】
請求項１から請求項４の何れか１項に記載の留置針であって、
前記内筒部材は、多孔質体からなり、
前記通気路は、前記内筒部材であることを特徴とする留置針。
【発明の詳細な説明】
【技術分野】
【０００１】
本発明は、逆止弁を備える留置針に関する。
【背景技術】
【０００２】
従来、内針を挿通可能な外針と、外針の基端に設けられた外針基と、切込部を有する弾性部材からなる止血弁と、止血弁と外針基の内周面との間に形成され外針基の内周面と止血弁とで画成される領域内の空気を外針基の外へ逃すための通気路と、を備える留置針が知られている（例えば、特許文献１参照）。
【０００３】
この留置針は、内針を止血弁の切込部を通し外針の中に挿通させた状態で、患者の血管に刺すと、外針及び外針基内に流れ込む血液（フラッシュバック）によって外針及び外針基内の空気が通気路から排出される。そして、外針基内に血液が流れ込むことにより外針が血管に刺し込まれたことを確認した後、内針を抜く。そして、輸液バッグに接続された輸液ラインのコネクタを外針基に接続して止血弁を開弁させて輸液や薬液などの液体を患者に供給する。
【先行技術文献】
【特許文献】
【０００４】
【特許文献１】特開２０１５−８０７０７号公報
【発明の概要】
【発明が解決しようとする課題】
【０００５】
従来の留置針では、患者に供給される液体は止血弁の切込部を開弁させて供給されるため、外針基の内周面（特に止血弁側）にフラッシュバックの血液が残ってしまう虞があり、血液の滞留による血栓の発生、又は雑菌の繁殖、血液が残っている外針基を視認した患者などに不快感を与えるなどの問題が生じる虞がある。
【０００６】
本発明は、以上の点に鑑み、外針基にフラッシュバックの血液が残り難い留置針を提供することを目的とする。
【課題を解決するための手段】
【０００７】
［１］上記目的を達成するため、本発明は、
内針が挿通可能な外針（例えば、実施形態の外針２。以下同一。）と、
前記外針の基端に設けられた筒状の外針基（例えば、実施形態の外針基３。以下同一。）と、
前記内針が挿通可能であり、且つ前記内針が抜かれた後に血液が前記外針基から漏れることを防止する止血弁（例えば、実施形態の止血弁４。以下同一。）と、
前記外針基内の空気を通過させ、前記外針基内の血液の通過を抑制又は阻止する通気路（例えば、実施形態の通気路５。以下同一。）とを備える留置針（例えば、実施形態の留置針１。以下同一。）であって、
前記外針基内に基端位置から先端位置へと前進可能な内筒部材（例えば、実施形態の内筒部材６。以下同一。）が配置され、
前記止血弁は前記内筒部材に設けられ、
前記外針基の内周面には、小径部（例えば、実施形態の小径部７。以下同一。）と、前記小径部の先端側に位置し前記小径部よりも大径の大径部（例えば、実施形態の大径部８。以下同一。）とが設けられ、
前記内筒部材の外周面には、前記外針基の基端側から供給される液体が流れ込み、且つ前記基端位置では前記小径部によって前記大径部との接続が阻止され、前記先端位置では前記大径部と接続される流路（例えば、実施形態の切欠部９又は貫通孔１２。以下同一。）が設けられていることを特徴とする。
【０００８】
本発明によれば、内筒部材が基端位置に位置するときには、内筒部材の外周面に設けられた流路は大径部と接続されておらず、止血弁によって血液が外針基からこぼれることを防止することができる。そして、輸液や薬液などの液体を患者に供給するときには、内筒部材を先端位置へ移動させることにより、内筒部材の外周面に設けられた流路と大径部とが接続され、液体が流路及び大径部を介して止血弁の周りから外針を通過して患者に供給される。
【０００９】
したがって、従来の留置針のように弁体の切込部から液体が供給されず、止血弁の周りから液体が供給されることにより、外針基の内周面（特に止血弁側）に残り易いフラッシュバックの血液を患者に供給される液体とともに患者に戻すことができ、外針基にフラッシュバックの血液が残ることを抑制して、患者などへ不快感を与えることを抑制することができる。
【００１０】
［２］また、本発明においては、前記流路は、前記内筒部材の基端から先端に向かって切り欠かれた切欠部（例えば、実施形態の切欠部９。以下同一。）で構成することができる。かかる構成によれば、内筒部材を先端位置へ移動させて切欠部を大径部と接続させることによって、外針基にフラッシュバックの血液が残ることを抑制することができる。
【００１１】
［３］また、本発明においては、前記切欠部は、前記内筒部材の内周面と外周面とを連通させるように切り欠かくこともできる。かかる構成によれば、外針基の基端から供給される輸液や薬液などの液体を内針を挿通可能な内筒部材の内側を利用して患者に供給することができ、液体供給時の抵抗を軽減させることができる。
【００１２】
［４］また、本発明においては、前記流路は、前記内筒部材の内周面と外周面とを連通させるように貫通した貫通孔（例えば、実施形態の貫通孔１２。以下同一。）で構成することができる。
【００１３】
かかる構成によれば、内筒部材を先端位置へ移動させて切欠部を大径部と接続させることによって、外針基にフラッシュバックの血液が残ることを抑制することができる。また、外針基の基端から供給される輸液や薬液などの液体を、内針を挿通可能な内筒部材の内側を利用して患者に供給することができ、液体供給時の抵抗を軽減させることができる。
【００１４】
［５］また、本発明においては、前記通気路は、前記内筒部材の外周面に設けられた先端から基端に向かって延びる外周側溝部（例えば、実施形態の外周側溝部１０。以下同一。）で構成することができる。
【００１５】
かかる構成によれば、フラッシュバックの血液の通過を阻止し空気の通過を許容する多孔質体などの通気路を構成する部材を別途内筒部材の外周に設ける必要がなく、部品点数を抑えて、組み立てを容易とすることができる。また、通気路を溝部で構成する場合、若干の血液が溝部に侵入する虞があるが、本発明では、内筒部材の外周を通過して液体が患者に供給されるため、外周側溝部に侵入した血液も供給される液体で流すことができる。
【００１６】
［６］また、本発明においては、前記止血弁は、中央部に切込部（例えば、実施形態の切込部４ａ。以下同一。）を備えた円柱状の弾性部材からなり、前記通気路は、前記止血弁の外周面に設けられた先端から基端まで延びる内周側溝部（例えば、実施形態の内周側溝部１３。以下同一。）で構成することができる。
【００１７】
かかる構成によれば、フラッシュバックの血液の通過を阻止し空気の通過を許容する多孔質体などの通気路を構成する部材を別途内筒部材の外周に設ける必要がなく、部品点数を抑えて、組み立てを容易とすることができる。
【００１８】
［７］また、本発明においては、前記通気路は、前記止血弁の前記切込部の径方向外側に設けられ前記止血弁の先端面と基端面とを連通させる細孔（例えば、実施形態の細孔。以下同一。）で構成することができる。かかる構成によれば、止血弁に切込部を形成する工程において同時に細孔も形成させることができ、製造工程を簡略化して、留置針のコストを抑えることができる。
【００１９】
［８］また、本発明においては、内筒部材を多孔質体で構成し、通気路を内筒部材自体で構成してもよい。かかる構成によれば、通気路を構成する部材を別途内筒部材の外周に設けたり、内筒部材や止血弁などに溝部を形成する必要もなく通気路を設けることができ、部品点数を抑え、又は、製造工程数を削減することができる。
【図面の簡単な説明】
【００２０】
【図１】第１実施形態の留置針を示す説明図。
【図２】第１実施形態の留置針を分解して示す説明図。
【図３】第１実施形態の留置針において、内筒部材が先端位置へ移動した状態を示す説明図。
【図４】第１実施形態の留置針において、内筒部材が先端位置へ移動した状態を図３のIV−IV線で切断した断面で示す説明図。
【図５】第２実施形態の留置針を示す説明図。
【図６】第２実施形態の留置針を分解して示す説明図。
【図７】第２実施形態の留置針において、内筒部材が先端位置へ移動した状態を示す説明図。
【図８】第２実施形態の留置針において、内筒部材が先端位置へ移動した状態を図７のVIII−VIII線で切断した断面で示す説明図。
【図９】第３実施形態の留置針を示す説明図。
【図１０】第３実施形態の留置針を分解して示す説明図。
【図１１】第３実施形態の留置針において、内筒部材が先端位置へ移動した状態を示す説明図。
【図１２】第４実施形態の留置針を示す説明図。
【図１３】第４実施形態の留置針を分解して示す説明図。
【図１４】第４実施形態の留置針において、内筒部材が先端位置へ移動した状態を示す説明図。
【発明を実施するための形態】
【００２１】
［第１実施形態］
本発明の第１実施形態の留置針を図１から図４を参照して説明する。
【００２２】
図１の斜視図及び図２の分解図に示すように、第１実施形態の留置針１は、内針（図示省略）が挿通可能な外針２と、外針２の基端に設けられた筒状の外針基３と、内針が挿通可能であり、且つ内針が抜かれた後にフラッシュバックの血液が外針基３から漏れることを防止する止血弁４と、外針基３内の空気を外針基３の基端側から外針基３の外へ通過させ外針基３内のフラッシュバックの血液の通過を抑制又は阻止する通気路５と、を備える。
【００２３】
外針基３内には、円筒状の内筒部材６が配置されている。内筒部材６は、外針基３内で外針基３の先端方向へ移動可能であり、実施形態の説明においては、先端方向へ移動する前の初期の位置を基端位置、先端方向への前進移動が完了した位置を先端位置、として定義する。
【００２４】
止血弁４は、円柱状の弾性部材で形成されており、中央部に先端から基端まで切り込まれた切込部４ａが設けられている。図示省略した内針はこの切込部４ａを通過して外針２に挿通される。また、止血弁４は、内筒部材６内に挿入されている。
【００２５】
外針基３の内周面には、内筒部材６の外径と同一（略同一を含む。少なくともフラッシュバックの血液が通過できないように設定される。）の内径に設定された小径部７と、小径部７よりも先端側に位置し小径部７よりも大径の大径部８とが設けられている。
【００２６】
内筒部材６には、基端から先端に向かって切り欠かれた切欠部９が一対形成されている。切欠部９は、内筒部材６の内周面と外周面とを連通させるように切り欠かれている。なお、切欠部９は輸液や薬液などが外針基３の基端側から供給されるように内筒部材６の外周面に形成されていればよく、必ずしも切欠部９が内周面まで達している必要はない。止血弁４は切欠部９よりも先端側に位置している。
【００２７】
内筒部材６が外針基３内で基端位置に位置している場合には、小径部７によって切欠部９と大径部８との接続が阻止される。逆に、図３の斜視図及び図４の断面図に示すように、内筒部材６が外針基３内で先端位置に位置している場合には、切欠部９と大径部８とが接続される。
【００２８】
また、内筒部材６の外周面には、先端から基端に向かって延びる外周側溝部１０が周方向に間隔を存して複数設けられている。この外周側溝部１０は、フラッシュバックの血液の通過を抑制し、空気の通過は許容できるように設定されている。また、外周側溝部１０の長さは少なくとも小径部７の基端から先端までの長さ寸法より長く形成されており、内筒部材６が基端位置に位置している状態で、外針基３の大径部８内の空気を、外周側溝部１０を介して外針基３の外に放出できるように構成されていればよい。
【００２９】
また、一部の外周側溝部１０は、切欠部９と連通するように形成されている。これにより、外針基３内の空気が外周側溝部１０及び切欠部９を通って、内筒部材６内から外に排出できるため、更に空気の排出が容易となる。また、小径部７よりも基端側に小径部７よりも拡径された拡径部（本実施形態においては雄コネクタ１１を接続するためのルアーテーパ部）が存在しない場合であっても、外周側溝部１０、切欠部９、内筒部材６内を通って空気を排出することができる。
【００３０】
第１実施形態の留置針１によれば、内筒部材６が基端位置に位置するときには、内筒部材６の外周面に設けられた切欠部９が大径部８と接続されておらず、止血弁４によってフラッシュバックの血液が外針基３からこぼれることを防止することができる。そして、輸液や薬液などの液体を患者に供給するときには、外針基３に接続する雄コネクタ１１などを利用して内筒部材６を押圧して先端位置へ移動させることにより、内筒部材６の外周面に設けられた切欠部９と大径部８とが接続され、液体が切欠部９及び大径部８を介して止血弁４の周りから外針２を通過して患者に供給される。
【００３１】
したがって、従来の留置針のように止血弁４の切込部から液体が供給されることなく、止血弁４の周りから液体が供給されることにより、外針基３の内周面（特に止血弁４側）に残り易いフラッシュバックの血液を患者に供給される液体と共に患者に戻すことができ、外針基３にフラッシュバックの血液が残ることを抑制して、血液の滞留による血栓の発生または雑菌の繁殖、患者などへ不快感を与えることを抑制することができる。本実施形態では、切欠部９が本発明の流路に該当する。
【００３２】
また、切欠部９が内筒部材６の内周面と外周面とを連通させるように切り欠かれていることにより、外針基３の基端から供給される輸液や薬液などの液体を、内針を挿通可能な内筒部材６の内側の空間も利用して患者に供給することができ、液体供給時の抵抗を軽減させることができる。
【００３３】
また、第１実施形態においては、通気路５を、内筒部材６の外周面に設けられた外周側溝部１０で構成することにより、フラッシュバックの血液の通過を阻止し空気の通過を許容する多孔質体などの通気路５を構成する部材を別途内筒部材６の外周面に設ける必要がなく、部品点数を抑えて、留置針の組立てを容易とすることができる。
【００３４】
また、通気路５を溝部で構成する場合、若干の血液が溝部に進入する虞があるが、本実施形態では、内筒部材６の外周を通過して液体が患者に供給されるため、外周側溝部１０に進入した血液も供給される液体で流すことができる。
【００３５】
［第２実施形態］
本発明の第２実施形態の留置針を図５から図８を参照して説明する。
【００３６】
第２実施形態の留置針１は、第１実施形態のものと比較して、流路が貫通孔１２で形成されており、全て同一に構成されている。なお、第1実施形態と同一の構成は同一の符号を付して説明を省略する。
【００３７】
図５の斜視図及び図６の分解図に示すように、第２実施形態の留置針１は、内筒部材６の内周面と外周面とを連通させるように貫通した貫通孔１２が設けられている。第２実施形態においては、この貫通孔１２が本発明の流路に相当する。
【００３８】
第２実施形態の留置針１によれば、内筒部材６が基端位置に位置するときには、内筒部材６に設けられた貫通孔１２が大径部８と接続されておらず、止血弁４によってフラッシュバックの血液が外針基３からこぼれることを防止することができる。そして、輸液や薬液などの液体を患者に供給するときには、図７の斜視図や図８の断面図に示すように、外針基３に接続する雄コネクタ１１などを利用して内筒部材６を押圧して先端位置へ移動させることにより、内筒部材６の外周面に設けられた貫通孔１２と大径部８とが接続され、液体が貫通孔１２及び大径部８を介して止血弁４の周りから外針２を通過して患者に供給される。
【００３９】
したがって、従来の留置針のように止血弁４の切込部から液体が供給されること無く、止血弁４の周りから液体が供給されることにより、外針基３の内周面（特に止血弁４側）残り易いフラッシュバックの血液を患者に供給される液体と共に患者に戻すことができ、外針基３にフラッシュバックの血液が残ることを抑制して、血液の滞留による血栓の発生または雑菌の繁殖、患者などへ不快感を与えることを抑制することができる。
【００４０】
また、貫通孔１２が内筒部材６の内周面と外周面とを連通させるように貫通していることにより、外針基３の基端から供給される輸液や薬液などの液体を、内針を挿通可能な内筒部材６の内側の空間も利用して患者に供給することができ、液体供給時の抵抗を軽減させることができる。
【００４１】
また、第２実施形態においても、通気路５を、内筒部材６の外周面に設けられた外周側溝部１０で構成することにより、フラッシュバックの血液の通過を阻止し空気の通過を許容する多孔質体などの通気路５を構成する部材を別途内筒部材６の外周面に設ける必要がなく、部品点数を抑えて、留置針の組立てを容易とすることができる。
【００４２】
また、通気路５を溝部で構成する場合、若干の血液が溝部に進入する虞があるが、本実施形態では、内筒部材６の外周を通過して液体が患者に供給されるため、外周側溝部１０に進入した血液も供給される液体で流すことができる。
【００４３】
［第３実施形態］
本発明の第３実施形態の留置針を図９から図１１を参照して説明する。
【００４４】
第３実施形態の留置針１は、第１実施形態のものと比較して、通気路５が外周側溝部１０に代えて内周側溝部１３で構成されている点を除いて全て同一に構成されている。なお、第1実施形態と同一の構成は同一の符号を付して説明を省略する。
【００４５】
図９の斜視図及び図１０の分解図に示すように、第３実施形態の留置針１の通気路５は、止血弁４の外周面に設けられた先端から基端まで延びる内周側溝部１３で構成されている。なお、内周側溝部１３は内筒部材６の内周面に設けてもよい。
【００４６】
第３実施形態の留置針１によれば、内筒部材６が基端位置に位置するときには、内筒部材６の外周面に設けられた切欠部９が大径部８と接続されておらず、止血弁４によってフラッシュバックの血液が外針基３からこぼれることを防止することができる。そして、輸液や薬液などの液体を患者に供給するときには、図１１に示すように、外針基３に接続する雄コネクタ１１などを利用して内筒部材６を押圧して先端位置へ移動させることにより、内筒部材６の外周面に設けられた切欠部９と大径部８とが接続され、液体が切欠部９及び大径部８を介して止血弁４の周りから外針２を通過して患者に供給される。
【００４７】
したがって、従来の留置針のように止血弁４の切込部から液体が供給されることなく、止血弁４の周りから液体が供給されることにより、外針基３の内周面（特に止血弁４側）に残り易いフラッシュバックの血液を患者に供給される液体と共に患者に戻すことができ、外針基３にフラッシュバックの血液が残ることを抑制して、血液の滞留による血栓の発生または雑菌の繁殖、患者などへ不快感を与えることを抑制することができる。本実施形態では、切欠部９が本発明の流路に該当する。
【００４８】
また、切欠部９が内筒部材６の内周面と外周面とを連通させるように切り欠かれていることにより、外針基３の基端から供給される輸液や薬液などの液体を、内針を挿通可能な内筒部材６の内側の空間も利用して患者に供給することができ、液体供給時の抵抗を軽減させることができる。
【００４９】
また、本実施形態においては、通気路５を、止血弁４の外周面に設けられた内周側溝部１３で構成することにより、フラッシュバックの血液の通過を阻止し空気の通過を許容する多孔質体などを別途内筒部材６の外周面などに設ける必要がなく、部品点数を抑えて、留置針の組立てを容易とすることができる。
【００５０】
なお、内周側溝部１３に代えて切込部４ａの径方向外側に止血弁４の先端面と基端面とを連通させる細孔を設けてこの細孔を通気路として機能させてもよい。通気路を細孔で構成することにより、止血弁に切込部を形成する工程において同時に細孔も形成させることができ、製造工程を簡略化して、留置針のコストを抑えることができる。
【００５１】
［第４実施形態］
本発明の第４実施形態の留置針を図１１から図１４を参照して説明する。
【００５２】
第４実施形態の留置針１は、第１実施形態のものと比較して、流路が貫通孔１２で形成されており、通気路５が外周側溝部１０に代えて内周側溝部１３で構成されている点を除いて全て同一に構成されている。なお、他の実施形態と同一の構成は同一の符号を付して説明を省略する。
【００５３】
図１１の斜視図及び図１３の分解図に示すように、第４実施形態の留置針１は、内筒部材６の内周面と外周面とを連通させるように貫通した貫通孔１２が設けられている。本実施形態においては、この貫通孔１２が本発明の流路に相当する。また、第３実施形態の通気路５は、止血弁４の外周面に設けられた先端から基端まで延びる内周側溝部１３で構成されている。なお、内周側溝部１３は内筒部材６の内周面に設けてもよい。
【００５４】
第４実施形態の留置針１によれば、内筒部材６が基端位置に位置するときには、内筒部材６の外周面に設けられた貫通孔１２が大径部８と接続されておらず、止血弁４によってフラッシュバックの血液が外針基３からこぼれることを防止することができる。そして、輸液や薬液などの液体を患者に供給するときには、図１４に示すように、外針基３に接続する雄コネクタ１１などを利用して内筒部材６を押圧して先端位置へ移動させることにより、内筒部材６の外周面に設けられた貫通孔１２と大径部８とが接続され、液体が貫通孔１２及び大径部８を介して止血弁４の周りから外針２を通過して患者に供給される。
【００５５】
したがって、従来の留置針のように止血弁４の切込部から液体が供給されることなく、止血弁４の周りから液体が供給されることにより、外針基３の内周面（特に止血弁４側）に残り易いフラッシュバックの血液を患者に供給される液体と共に患者に戻すことができ、外針基３にフラッシュバックの血液が残ることを抑制して、血液の滞留による血栓の発生または雑菌の繁殖、患者などへ不快感を与えることを抑制することができる。
【００５６】
また、貫通孔１２が内筒部材６の内周面と外周面とを連通させるように切り欠かれていることにより、外針基３の基端から供給される輸液や薬液などの液体を、内針を挿通可能な内筒部材６の内側の空間も利用して患者に供給することができ、液体供給時の抵抗を軽減させることができる。
【００５７】
また、本実施形態においては、通気路５を、止血弁４の外周面に設けられた内周側溝部１３で構成することにより、フラッシュバックの血液の通過を阻止し空気の通過を許容する多孔質体などを別途内筒部材６の外周面などに設ける必要がなく、部品点数を抑えて、留置針の組立てを容易とすることができる。
【００５８】
なお、内周側溝部１３に代えて切込部４ａの径方向外側に止血弁４の先端面と基端面とを連通させる細孔を設けてこの細孔を通気路として機能させてもよい。
【００５９】
［他の実施形態］
第１から第４の実施形態においては、通気路５として、外周側溝部１０及び内周側溝部１３を説明したが、本発明の通気路はこれに限らず、例えば、内筒部材６の外周面に環状の多孔質体（例えば、ポリエチレンまたはポリウレタン等のプラスチックの焼結体、通気フィルタなど）を設けて通気路としてもよく、または、内筒部材自体を多孔質体（例えば、ポリエチレンまたはポリウレタン等のプラスチックの焼結体、通気フィルタなど）で構成して、内筒部材に通気路としての機能を持たせても、本発明の「フラッシュバックの血液が外針基内に残ることを抑制する」という効果を得ることができる。
【００６０】
また、上記実施形態においては、内筒部材６内に止血弁４を設けたものを説明したが、本発明の止血弁はこれに限らず、例えば、内筒部材６の先端縁に先方へ突出する突出部を形成し、この突出部の先端外周面に径方向外方へ膨らむように張り出した膨出部を形成して、この膨出部および内筒部材６の先端開口を通常時は閉塞するように覆う断面Ｃ字状の止血弁を内筒部材６の先端に設けてもよい。
【符号の説明】
【００６１】
１  留置針
２  外針
３  外針基
４  止血弁
４ａ  切込部
５  通気路
６  内筒部材
７  小径部
８  大径部
９  切欠部（流路）
１０  外周側溝部
１１  雄コネクタ
１２  貫通孔（流路）
１３  内周側溝部
【図１】
2019084245.tif 000003
【図２】
2019084245.tif 000004
【図３】
2019084245.tif 000005
【図４】
2019084245.tif 000006
【図５】
2019084245.tif 000007
【図６】
2019084245.tif 000008
【図７】
2019084245.tif 000009
【図８】
2019084245.tif 000010
【図９】
2019084245.tif 000011
【図１０】
2019084245.tif 000012
【図１１】
2019084245.tif 000013
【図１２】
2019084245.tif 000014
【図１３】
2019084245.tif 000015
【図１４】
2019084245.tif 000016